(57)【要約】      （修正有）【課題】カメラ付携帯端末を安易に取り付けることができ、カメラ部分を簡単な構造でケースの外部に移動させることができるカメラ付携帯端末用ケースを提供する。【解決手段】第１のカバー１１には、溝付固定板２１、移動板２２、及び粘着板２３からなる機器装着部２０が一体的に設けられている。粘着板２３の一方の表面である移動板接着面２３ａは、移動板２２と一体的になるように接着され、粘着板２３の他方の表面の粘着剤２３ｂに、カメラ付携帯機器が貼り付けられる。第１のカバー１１に貼り付けられたカメラ付携帯機器のカメラがこの第１のカバー１１の外部にでるように、溝付固定板２１に嵌めこまれた移動板２２を摺動する。【選択図】図１
0003200509.tif 000002
【実用新案登録請求の範囲】
【請求項１】
カメラを搭載したカメラ付携帯機器を、第１のカバーと第２のカバーで覆うように形成されたカメラ付携帯機器用ケースであって、
前記第１のカバーには、溝付固定板、移動板、及び粘着板からなる前記カメラ付携帯機器を装着する機器装着部が一体的に設けられ、
前記溝付固定板は、上端部、下端部、右端部、及び左端部を有し、前記右端部には右溝部、及び前記左端部には左溝部が設けられ、前記移動板が前記右溝部と前記左溝部に嵌め込まれ摺動するように形成され、
前記粘着板の一方の表面は、前記移動板と一体的になるように接着され、前記粘着板の他方の表面の接着剤に、カメラ付携帯機器が貼り付けられるように構成され、
前記接着剤に前記カメラ付携帯機器が貼り付けられた状態で、前記カメラが前記第１のカバーの外部に配置されるように、前記溝付固定板に嵌めこまれた前記移動板が前記粘着板とともに摺動されることを特徴とするカメラ付携帯機器用ケース。
【請求項２】
前記カメラ付携帯機器は、カメラ付スマートフォンであることを特徴とする請求項１に記載のカメラ付携帯機器用ケース。
【請求項３】
前記第２のカバーは、ポケットが形成されていることを特徴とする請求項１又は請求項２に記載のカメラ付携帯機器用ケース。
【考案の詳細な説明】
【技術分野】
【０００１】
本考案は、カメラ付携帯機器用ケースに関する。
【背景技術】
【０００２】
携帯電話、スマートフォンなどの携帯機器において、付属品としてカメラを搭載しているのが一般的であるが、このようなカメラを付属品として搭載している携帯端末に対してもケースが用いられている。
【考案の概要】
【考案が解決しようとする課題】
【０００３】
上記の携帯端末用のケースをカメラ付携帯機器に使用するときには、このカメラ付携帯機器をケースから取り外すなど、このカメラを用いて安易に撮影することができないという問題あった。
【０００４】
このような問題を解決するために、カメラ付携帯機器がケースに収められる場合であっても、簡単な構造でこのカメラで撮影することが必要とされている。
【０００５】
そこで本考案は、このような課題を解決するためになされたもので、安易にカメラ付携帯端末を取り付けることができ、カメラ部分を簡単な構造でケースの外部に移動させることができるカメラ付携帯端末用ケースを提供することを目的とする。
【課題を解決するための手段】
【０００６】
上記課題を解決するために、本考案に係るカメラ付携帯機器用ケースは、カメラを搭載したカメラ付携帯機器を、第１のカバーと第２のカバーで覆うように形成されたカメラ付携帯機器用ケースであって、前記第１のカバーには、溝付固定板、移動板、及び粘着板からなる前記カメラ付携帯機器を装着する機器装着部が一体的に設けられ、前記溝付固定板は、上端部、下端部、右端部、及び左端部を有し、前記右端部には右溝部、及び前記左端部には左溝部が設けられ、前記移動板が前記右溝部と前記左溝部に嵌め込まれ摺動するように形成され、前記粘着板の一方の表面は、前記移動板と一体的になるように接着され、前記粘着板の他方の表面の接着剤に、カメラ付携帯機器が貼り付けられるように構成され、前記接着剤に前記カメラ付携帯機器が貼り付けられた状態で、前記カメラが前記第１のカバーの外部に配置されるように、前記溝付固定板に嵌めこまれた前記移動板が前記粘着板とともに摺動されることを特徴とする。
【０００７】
本考案に係るカメラ付携帯機器用ケースの態様について、前記カメラ付携帯機器は、カメラ付スマートフォンであることが好ましい。
【０００８】
本考案に係るカメラ付携帯機器用ケースの態様について、前記第２のカバーは、ポケットが形成されていることが好ましい。
【考案の効果】
【０００９】
本考案のカメラ付携帯機器用ケースによれば、安易にカメラ付携帯端末を取り付けることができ、カメラ部分を簡単な構造でケースの外部に移動させることができる。
【図面の簡単な説明】
【００１０】
【図１】実施形態のカメラ付携帯機器用ケースを正面から見た模式図である。
【図２】図１のＡ−Ａ線の断面を示す模式図である。
【図３】カメラ付携帯機器が装着された状態を示す参考図である。
【図４】カメラ付携帯機器のカメラが外部に配置された状態を示す参考図である。
【考案を実施するための形態】
【００１１】
以下、本考案のカメラ付携帯機器用ケースの実施形態を図１及び図２を用いて説明する。
【００１２】
図１に示すように、カメラ付携帯機器用ケース１０は、第１のカバー１１と第２のカバー１２からなり、カメラを搭載したカメラ付携帯機器を第１のカバー１１と第２のカバー１２で覆うことができるように形成されている。
【００１３】
第１のカバー１１には、溝付固定板２１、移動板２２、及び粘着板２３からなるカメラ付携帯機器を装着する機器装着部２０が一体的に設けられている。
【００１４】
溝付固定板２１は、上端部２１ａ、下端部２１ｂ、右端部２１ｃ、及び左端部２１ｄを有し、右端部２１ｃには右溝部２１ｃｄ、及び左端部２１ｄには左溝部２１ｄｄが設けられ、移動板２２が右溝部２１ｃｄと左溝部２１ｄｄに嵌め込まれ、この移動板２２が摺動するように形成されている。
【００１５】
粘着板２３は、一方の表面である移動板接着面２３ａが移動板２２と一体的になるように接着され、また、粘着板２３の他方の表面に設けられた粘着剤２３ｂに、カメラ付携帯機器が貼り付けられるように構成されている。
【００１６】
そして、粘着剤２３ｂにカメラ付携帯機器が貼り付けられた状態で、カメラ付携帯機器に搭載されたカメラが第１のカバー１１の外部に配置されるように、溝付固定板２１に嵌めこまれた移動板２２が、図１に示す矢印の方向に粘着板２３とともに摺動される。
【００１７】
図２は、図１のＡ―Ａ線の断面を示す模式図であるが、この図２が示すように、移動板２２は、右端部２１ｃに設けられている右溝部２１ｃｄと、左端部２１ｄに設けられている左溝部２１ｄｄに嵌め込まれるように形成され、この嵌め込まれた状態で、移動板２２が右溝部２１ｃｄと左溝部２１ｄｄと接する部分でスライドし、つまり摺動するように形成されている。
【００１８】
ここで、移動板２２が溝付固定板２１に嵌め込まれた状態において、ある程度固着しており、且つ、外部からの押圧で移動板がスライド、つまり摺動するように形成されているとよい。
【００１９】
また、移動板２２が溝付固定板２１に嵌め込まれた状態において、より強く固着させたい場合には、ストッパー、バネなどを用いて移動板２２と溝付固定板２１との接触を強化するようにしてもよい。
【００２０】
このような場合、例えば、ストッパー（図示していない）を設けて、カメラ付携帯機器がカメラ付携帯機器用ケース１０に収納されているときの位置で固定し、且つ、カメラを使用するときの位置で固定するようにしてもよい。
【００２１】
上記のとおり、粘着板２３の一方の表面である移動板接着面２３ａは、移動板２２と一体的になるように接着され、粘着板２３の他方の表面に設けられている粘着剤２３ｂに、カメラ付携帯機器が貼り付けられ、このカメラ付携帯機器が、カメラ付携帯機器用ケース１０に装着されるように構成されている。
【００２２】
なお、粘着板２３の粘着剤２３ｂとしては、例えば両面粘着シートを用いてもよいが、これに限定されず、脱着可能な接着力を有する部材であればよい。
【００２３】
上記のように構成されたカメラ付携帯機器用ケース１０は、第１のカバー１１に貼り付けられたカメラ付携帯機器のカメラがこの第１のカバー１１の外部に配置されるように、つまり第１のカバー１１の外部にでるように、溝付固定板２１に嵌めこまれた移動板２２を摺動する。
【００２４】
具体的な一例としては、一方の手でカメラ付携帯機器用ケース１０を挟み込み、押さえた状態で、他方の手でカメラ付携帯機器をスライド、つまり摺動されることで、カメラ付携帯機器のカメラが第１のカバー１１の外部に配置されることになる。
【００２５】
図３は、カメラ付携帯機器が装着された状態を示す参考図であるが、この図で示すようにカメラ付携帯機器１００は、カメラを有するスマートフォンであってもよい。
【００２６】
図４は、図３に示すカメラ付携帯機器１００がカメラ付携帯機器用ケース１０に装着された状態から、このカメラ付携帯機器１００のカメラ部分が、カメラ付携帯機器用ケース１０の外部に配置された状態を示している参考図である。
【００２７】
また、第２のカバー１２には、図１に示すようにカード、紙幣などを収納するポケット３０を形成してもよい。
【００２８】
上記のような特徴を有する本考案のカメラ付携帯機器用ケースは、カメラ付携帯機器が収められた状態で、カメラを撮影できる簡易な構成であり、カメラ付携帯機器を安全に収納でき利便性の向上を図ることができるものである。
【００２９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３０】
また、カメラ付携帯機器用ケースの大きさや形状、素材の厚さ、重さなどについては多様な実施形態が可能であり、それらについて本実施形態と異なる形態による実施は、本考案の技術的範囲に含まれる。
【符号の説明】
【００３１】
１０  カメラ付携帯機器用ケース
１１  第１のカバー
１２  第２のカバー
２０  機器装着部
２１  溝付固定板
２１ａ  上端部
２１ｂ  下端部
２１ｃ  右端部
２１ｃｄ  右溝部
２１ｄ  左端部
２１ｄｄ  左溝部
２２  移動板
２３  粘着板
２３ａ  移動板接着面
２３ｂ  粘着剤
３０  ポケット
１００  カメラ付携帯機器
【図１】
0003200509.tif 000003
【図２】
0003200509.tif 000004
【図３】
0003200509.tif 000005
【図４】
0003200509.tif 000006